(57)【特許請求の範囲】
【請求項１】
炊飯器本体と、この炊飯器本体に開閉可能に設けられた蓋体と、この蓋体に設けられたＯＮ操作可能な複数の操作キーよりなる操作入力手段と、上記蓋体の開閉を検知する蓋開閉検知手段と、上記複数の操作キーよりなる操作入力手段の各操作キーにより入力された入力内容に応じて炊飯保温制御の内容を設定する炊飯保温制御手段とを備え、上記複数の操作キーよりなる操作入力手段を、上記蓋開閉検知手段により検知された上記蓋体の開状態又は閉状態如何にかかわらず入力操作可能に構成する一方、その入力操作形態を何れかの操作キーの１回のＯＮ操作で入力する第１の入力操作形態と、複数回のＯＮ操作で入力する第２の入力操作形態との２種の入力操作形態に設定し、上記蓋開閉検知手段が上記蓋の閉状態を検知しているときには第１の入力操作形態に、他方上記蓋開閉検知手段が上記蓋の開状態を検知しているときには第２の入力操作形態に切り替えて入力するとともに、上記炊飯保温制御手段は、上記第１の入力操作形態での操作入力、第２の入力操作形態での操作入力の何れに対しても、その入力内容を同一に確定するように構成してなる電気炊飯器であって、上記複数の操作キーはそれぞれ固有のキーコードを有し、上記第２の入力操作形態では、当該操作キーのキーコードに基づいて、上記複数回ＯＮ操作された操作キーが同一の操作キーであるか否かを判定し、上記複数回ＯＮ操作された操作キーが同一の操作キーである場合にのみ、その入力内容を確定するように構成していることを特徴とする電気炊飯器。
【発明の詳細な説明】
【技術分野】
【０００１】
本願発明は、蓋体開閉時の誤操作を生じさせることなく、蓋体の開状態または閉状態の何れの状態においても、蓋体に設けられている操作キーの正常な操作を可能にした電気炊飯器の構成に関するものである。
【背景技術】
【０００２】
炊飯器本体と、該炊飯器本体の上部に開閉可能に設けられた蓋体と、上記炊飯器本体の炊飯又は保温状態を制御する制御手段と、上記蓋体に設けられ、上記制御手段の制御状態を設定または解除する操作キーと、上記蓋体の開または閉状態を検出する蓋開閉検出手段と、該蓋開閉検出手段の検出結果に応じて上記操作キーの操作状態を有効または無効にするキー入力制御手段とを備え、上記蓋体が開かれているときには、上記操作キーのキー入力を無効にすることによって、蓋開閉時の意図しない操作キーオンによる誤った設定、誤った解除を回避するようにした電気炊飯器は既に良く知られている（たとえば、特許文献１、特許文献２に示す電気炊飯器の構成を参照）。
【０００３】
このような電気炊飯器の場合、蓋を閉じた待機状態や保温状態では、蓋部上面に設けられた操作パネル上の操作キーは有効であり、ＯＮ操作しさえすれば、マイコンに対して必要な入力を行うことができ、炊飯メニューの設定、タイマー機能の設定、保温取り消し等の必要な機能を果たさせることができる。
【０００４】
他方、蓋開閉検出手段が所定開度以上に蓋が開かれたことを検出すると、それらすべての操作キーは無効状態となり、蓋の開閉操作時等に誤ってＯＮ操作されたとしても、マイコンへの入力はなされない。したがって、誤操作による入力は回避される。
【先行技術文献】
【特許文献】
【０００５】
【特許文献１】特開２０１５−６２５８６号公報
【特許文献２】特開２０１４−１４４２６号公報
【発明の概要】
【発明が解決しようとする課題】
【０００６】
しかし、このような従来の電気炊飯器の場合、例えば保温状態において蓋を開け、内鍋内のご飯をよそってしまった後に保温を取り消そうとしても、そのままでは取り消すことができず、一旦蓋を閉めて操作キーを有効な状態にしてからでないと取り消せない。そのため、使い勝手が悪い問題があった。だからと言って、蓋の開閉状態如何に関係なく、キー操作を有効にすると、従来のような誤操作を招く。
【０００７】
本願発明は、このような問題を解決するためになされたもので、蓋の開閉状態如何に関係なく操作キーの操作入力を可能とすることによって使い勝手を向上させるが、他方、その入力操作形態を蓋が閉じているときと開いているときとで相互に異なるものとし、蓋の開閉に応じて、その入力操作形態を切り替えることにより、誤操作を確実に回避できるようにした電気炊飯器を提供することを目的とするものである。
【課題を解決するための手段】
【０００８】
本願発明は、上記の目的を達成するために、次のような課題解決手段を備えて構成されている。
【０００９】
（１）請求項１の発明の課題解決手段
この発明の課題解決手段は、炊飯器本体と、この炊飯器本体に開閉可能に設けられた蓋体と、この蓋体に設けられたＯＮ操作可能な複数の操作キーよりなる操作入力手段と、上記蓋体の開閉を検知する蓋開閉検知手段と、上記複数の操作キーよりなる操作入力手段の各操作キーにより入力された入力内容に応じて炊飯保温制御の内容を設定する炊飯保温制御手段とを備え、上記複数の操作キーよりなる操作入力手段を、上記蓋開閉検知手段により検知された上記蓋体の開状態又は閉状態如何にかかわらず入力操作可能に構成する一方、その入力操作形態を何れかの操作キーの１回のＯＮ操作で入力する第１の入力操作形態と、複数回のＯＮ操作で入力する第２の入力操作形態との２種の入力操作形態に設定し、上記蓋開閉検知手段が上記蓋の閉状態を検知しているときには第１の入力操作形態に、他方上記蓋開閉検知手段が上記蓋の開状態を検知しているときには第２の入力操作形態に切り替えて入力するとともに、上記炊飯保温制御手段は、上記第１の入力操作形態での操作入力、第２の入力操作形態での操作入力の何れに対しても、その入力内容を同一に確定するように構成してなる電気炊飯器であって、上記複数の操作キーはそれぞれ固有のキーコードを有し、上記第２の入力操作形態では、当該操作キーのキーコードに基づいて、上記複数回ＯＮ操作された操作キーが同一の操作キーであるか否かを判定し、上記複数回ＯＮ操作された操作キーが同一の操作キーである場合にのみ、その入力内容を確定するように構成していることを特徴としている。
操作入力手段をＯＮ操作可能な複数の操作キーにより構成し、蓋開閉検知手段により検知された蓋体の開状態又は閉状態如何にかかわらず、当該複数の操作キーよりなる操作入力手段による操作入力を可能にすると、使い勝手が向上する。
【００１０】
しかし、単に複数の操作キーによる操作入力を可能にしただけでは、従来のものと同様に蓋開閉時の誤操作が生じる。
【００１１】
そこで、この発明の課題解決手段の構成では、上記のように、蓋開閉検知手段により検知された蓋体の開状態又は閉状態如何にかかわらず、操作入力手段を構成する複数の操作キーのＯＮ操作による入力は可能とするが、他方、その入力操作形態を１回のＯＮ操作で入力する第１の入力操作形態と、複数回のＯＮ操作で入力する第２の入力操作形態との２種の入力操作形態に設定し、上記蓋開閉検知手段が上記蓋の閉状態を検知しているときには上記第１の入力操作形態に、他方上記蓋開閉検知手段が上記蓋の開状態を検知しているときには上記第２の入力操作形態に切り替えて入力するとともに、上記炊飯保温制御手段の方では、上記第１の入力操作形態での操作入力、第２の入力操作形態での操作入力の何れに対しても、その入力内容を同一に確定させるようにしている。
【００１２】
このような構成によると、蓋開閉検知手段が蓋体の閉状態を検知しているときと、開状態を検知しているときとでは、その操作キーによる入力操作形態が異なるようになり、使い勝手を向上させながら、同時に誤操作をも確実に回避できるようになる。しかも、それでいながら確実な入力設定が可能となる。
【００１３】
しかし、上記のように、蓋開閉検知手段が蓋の開状態を検知している場合において、上記第２の入力操作形態に切り替え、何れかの操作キーの複数回のＯＮ操作により入力するようにした場合にも、まず何れかの操作キーがＯＮ操作され、さらに続けて異なる操作キーがＯＮ操作されるようなことがある。このような場合にもご操作が生じる可能性がある。したがって、何れかの操作キーの複数回のＯＮ操作により入力するようにした場合、このようなご操作をも回避する必要がある。
【００１４】
そこで、この発明の課題解決手段では、そのようなケースに対応して、上記操作入力手段を構成する複数の操作キーがそれぞれ固有のキーコードを有して構成されており、上記第２の入力操作形態では、当該各操作キーのキーコードに基づいて、上記複数回ＯＮ操作された何れかの操作キーが同一の操作キーであるか否かを判定するようにしており、上記複数回ＯＮ操作された操作キーが同一の操作キーである場合にのみ、その入力内容を確定するように構成している。
【００１５】
この結果、異なる操作キ―の複数回のＯＮ操作（誤操作）による入力を確実に回避することができる。
【発明の効果】
【００１６】
以上の結果、本願発明の電気炊飯器によると、蓋の閉状態はもちろん、開状態においても、誤操作の無い適切な操作設定、取り消しを可能とすることができ、正常に使い勝手が向上する。
【図面の簡単な説明】
【００１７】
【図１】この出願の発明の実施の形態に係る電気炊飯器の操作パネルを備えた炊飯器本体上面部（蓋体上面部）の構成を示す平面図である。
【図２】同実施の形態に係る電気炊飯器の蓋体および炊飯器本体内部の構成を示す図１のＡ−Ａ線切断部での断面図である。
【図３】同実施の形態に係る電気炊飯器の炊飯器本体側内部の構成を拡大して示す図２の左半分部分（蓋体を除いた前部部分）の断面図である。
【図４】図２、図３に示すこの出願の発明の実施の形態に係る電気炊飯器の炊飯器本体肩部における肩部材、肩ヒータ枠、肩ヒータカバー、シール用摺動パッキン、金属プレート部分の構成を示す上下方向に分解した斜視図である。
【図５】図２、図３に示すこの出願の発明の実施の形態に係る電気炊飯器の炊飯器本体の外釜、第２の保護枠ユニット（上）、第１の保護枠ユニット（下）、磁気遮蔽板、第１、第２のワークコイル、フェライトコア、コイル台部分の構成を示す上下方向に分解した斜視図である。
【図６】この出願の発明の実施の形態に係る電気炊飯器の炊飯器本体側内鍋と該内鍋に対応する第１、第２のワークコイル、第３のワークコイル、肩ヒータ、蓋ヒータと、蓋体側調圧ユニット、蓋センサ、傾斜センサ、操作パネル部のタッチキー構成の電極スイッチ、同電極スイッチに対応するタッチマイコン、ホストマイコンとしてのマイコン制御ユニット相互の制御回路の構成を示すブロック図である。
【図７】この出願の発明の実施の形態に係る電気炊飯器の傾斜センサ出力を用いた蓋体の開閉状態を検出する検出制御シーケンスを示すフローチャートである。
【図８】この出願の発明の実施の形態に係る電気炊飯器の図７のフローチャートにおける蓋体の開閉結果に対応して操作キー入力の有効な入力パターンを設定する（切り替える）設定シーケンスを示すフローチャートである。
【図９】この出願の発明の実施の形態に係る電気炊飯器の傾斜センサー出力に応じた操作キー入力の判定シーケンスを示すフローチャートである。
【図１０】この出願の発明の実施の形態に係る電気炊飯器の蓋体開閉状態に応じた操作キー入力パターンの切り替えシーケンスとそれに対応したキー入力制御シーケンスを示す第１のフローチャート（ステップＳ１〜Ｓ１６）である。
【図１１】この出願の発明の実施の形態に係る電気炊飯器の蓋体開閉状態に応じた操作キー入力パターンの切り替えシーケンスとそれに対応したキー入力制御シーケンスを示す第２のフローチャート（ステップＳ１７〜Ｓ４３）である。
【図１２】本図の（ａ）〜（ｃ）は、この出願の発明の実施の形態に係る電気炊飯器の蓋体開閉状態に応じた操作キー入力パターンの切り替えシーケンスとそれに対応したキー入力読み込み方法を示すタイムチャートである。
【図１３】本図の（ａ）〜（ｇ）は、この出願の発明の実施の形態に係る電気炊飯器の蓋体開閉状態に応じた操作キー入力パターンの切り替えシーケンスとそれに対応したキー入力制御シーケンスを示すタイムチャートである。
【図１４】従来例に係る蓋開閉検知に対応した操作キーのキー入力操作有効化、無効化処理制御のシーケンスを示すフローチャートである。
【図１５】従来例に係る蓋開閉検知に対応した操作キーのキー入力操作有効化、無効化処理制御（図１４）に対応したキー入力による状態遷移処理制御のシーケンスを示すフローチャートである。
【発明を実施するための形態】
【００１８】
以下、添付の図１〜図１５の図面を参照して、この出願の発明を実施するための実施の形態の構成およびその作用について詳細に説明する。
【００１９】
まず図１〜図５には、この出願の発明の実施の形態にかかる電気炊飯器の炊飯器本体および蓋体部分の構成が示されている。
【００２０】
この実施の形態における電気炊飯器は、一例として、底部外周面に誘導発熱部を有するセラミック製の内釜と、この内釜が収納される内釜収納空間を備えた炊飯器本体と、この炊飯器本体の上記内釜収納空間内に設けられ、上記内釜の底部から側部までを覆うセラミック製の外釜と、この外釜の底部外周側に設けられ、同外釜を介して上記内釜の底部外周面の誘導発熱部を誘導発熱させる電磁誘導手段と、上記外釜の側部内周面に設けられた誘導発熱部と、上記外釜の側部外周側に設けられ、上記外釜の側部内周面の誘導発熱部を誘導発熱させる電磁誘導手段と、上記炊飯器本体の上記内釜収納溝の上部に開閉可能に設けられた蓋体とを有して構成されており、所望の工程において、上記外釜の底部外周側に設けた電磁誘導手段を駆動して上記内釜の底部外周面の誘導発熱部を誘導発熱させるとともに、上記外釜の側部外周側に設けた電磁誘導手段を駆動し、上記外釜の側部内周面に設けられた誘導発熱部をも誘導発熱させることによって、上記内釜の底部および側部を有効に加熱するように構成されている。
【００２１】
＜炊飯器本体部分の構成について＞
この実施の形態の電気炊飯器における炊飯器本体は、たとえば図１〜図５に示すように、米および水を収容するセラミック材からなる有底筒状の内釜３（たとえば土鍋等のセラミック製の内釜）と、該内釜３の底部３ａから側部３ｃ部分までを覆う同じくセラミック材からなる有底筒状の外釜６と、底部側に同外釜６を設けるとともに、同外釜６を介して上記内釜３を任意に収納セットする内釜収納溝５を形成している保護枠４と、該保護枠４を収容保持する保護枠収容空間を備えた本体ケース１と、該本体ケース１の上記内釜収納溝５の開口部５ａ後端側に設けられ、同開口部５ａを開閉する蓋体２とから構成されている。
【００２２】
上記本体ケース１は、合成樹脂製の側部側筒状の外ケース１ａと同じく合成樹脂製の底部側皿状の底ケース１ｂとからなり、上記外ケース１ａの上端部の内側に後述する合成樹脂製の肩部材８が設けられ、該肩部材８を介して上記内釜収納溝５を形成する保護枠４を連結支持している。肩部材８の外周側断面逆Ｕ字状の縁部８４は、上記外ケース１ａ上端側の断面鉤状の係合縁部１０に冠合する形で周方向の全体に亘って係合されている。
【００２３】
保護枠４は、それぞれ合成樹脂成型された相互に別体の第１の保護枠ユニット（下部ユニット）４Ａと第２の保護枠ユニット（上部ユニット）４Ｂとの上下２つの筐体部材からなり、下部側の筐体を構成する第１の保護枠ユニット４Ａの上部に上部側の筐体を構成する第２の保護枠ユニット４Ｂを積層して一体に構成されている。
【００２４】
まず、下部側の筐体を構成する第１の保護枠ユニット４Ａは、所定の半径のフラットな円形面よりなる底部４１ａと、該底部４１ａの外周から次第に径を拡大させながら所定の高さ上方に延びる彎曲部４１ｂと、該彎曲部４１ｂの上縁部に半径方向外方に所定寸法拡大して形成された断面鉤状の段部４１ｃと、該段部４１ｃの外周部から略垂直に立ち上がり、所定の高さの筒状壁を形成した支持壁部４１ｄとからなっている。そして、この第１の保護枠ユニット４Ａ部分は、その底部４１ａおよび彎曲部４１ｂ部分を、後述する下方側コイル台９によって支持されている。
【００２５】
次に、上部側の筐体を構成する第２の保護枠ユニット４Ｂは、半径方向外方に開放した断面コの字型をした所定上下幅の筒状壁４２ｂを中心とし、その下端側に上記第１の保護枠ユニット４Ａの支持壁４１ｄ上への載置部４２ａが、また、その上端側に所定寸法半径方向外方に拡大された鉤状の係合段部４２ｄが設けられている。該第２の保護枠ユニット４２Ｂの上記筒状壁４２ｂ外周面のリブ４２ｃで仕切られた上部部分（略上部１／２部分）は、後述する第３のワークコイルＣ３の設置面（巻成面）に形成されており、該ワークコイル設置面に内外２層状態に巻成された第３のワークコイルＣ３が設置されている。
【００２６】
なお、この第３のワークコイルＣ３の設置面を上記筒状壁４２ｂの上下幅全体ではなく、例えば上部１／２部分としたのは、それにより少しでも上記下部側第１の保護枠ユニット４Ａ側の第２のワークコイルＣ２との距離を拡大して、相互の誘導干渉を回避するためである。
【００２７】
そして、上記第１、第２の保護枠ユニット４Ａ，４Ｂを、図２、図３のように上下に積層一体化することによって、全体として有底の筒状体構造に形成された保護枠４の底部上面側（第１の保護枠ユニット４Ａの底部４１ａおよび彎曲部４１ｂの上面側）には、さらに上記セラミック材よりなる外釜６の底部６ａおよび彎曲部６ｂが半径方向に部分的に配設された所定の厚さの接着剤部分（図示省略）を介して、かつ接着剤の無い部分に所定の断熱空気層を保った状態で貼設されており、このセラミック製の外釜６の上部に、たとえば図４に示すように、円形のフラットな底部３ａ、アール面上の彎曲部３ｂの各々に銀ペースト又は銀溶射よりなる第１、第２の誘導発熱体Ｇ１，Ｇ２を設けたセラミック製の内釜３の同円形の底部３ａおよびその外周のアール面上の彎曲部３ｂが所定の隙間Ｓを保った状態で収納されるようになっている。
【００２８】
そして、それにより同収納状態においては、たとえば図２、図３に示すように、該内釜３の側部３ｃの上部部分まで、その側部６ｃの上端が長く延設された上記セラミック製の外釜６により、当該内釜３の底部３ａから側部３ｃ付近までが十分に覆われるようになっている。
【００２９】
ところで、この実施の形態の外釜６は、全体として椀形の構造をなし、そのフラットな円形の底部６ａ中央には上記第１の保護枠ユニット４Ａ中央のセンタセンサ嵌装穴１０ａに対応するセンタセンサのセンサ部嵌挿穴６ｅが設けられており、上記センタセンサ嵌装穴１０ａに嵌装されたセンタセンサＣＳ上部のセンサ部が昇降可能に遊嵌状態で嵌挿されているとともに、その半径方向外周側には周方向に所定の間隔を置いて、内釜３の高台部３ｅを支持するシリコンゴム等の耐熱性弾性部材よりなる高台部支持部材６１，６１・・を嵌装する高台部支持部材嵌装孔６ｆ，６ｆ・・が設けられている。また、それよりも外周側上部の彎曲部６ｂの外周寄り部分にも周方向に所定の間隔を置いて、内釜３の彎曲部３ｂの外周を支持する同じくシリコンゴム等の耐熱性弾性部材よりなるセンタリング支持部材６２，６２・・を嵌装するセンタリング支持部材嵌装孔６ｇ，６ｇ・・が設けられている。
【００３０】
そして、それらの各嵌装孔６ｆ，６ｆ・・、６ｇ，６ｇ・・内にシリコンゴム等の耐熱性が高く、所定の弾性がある高台部支持部材６１，６１・・、センタリング支持部材６２，６２・・がそれぞれ嵌装固定され、上記内釜３の底部３ａおよび彎曲部３ｂが支持されるが、上記高台部支持部材６１，６１・・部分は、上記下部側第１の保護枠ユニット４Ａのポケット部Ｐ，Ｐ・・との間で安定した固定状態に支持され、その上部に内釜３の底部３ａ外周の高台部３ｅ部分が上方から下方に当接する状態で載せられ、後述するように、フローティング支持機構を介して昇降可能に弾性支持されている保護枠４および外釜６が内釜３の重量に応じて下降すると、当該内釜３の開口部３ｄの外周側フランジ部Ｆが後述する肩部材８の内縁８２部分上に耐熱支持部材を介して係合され、内釜３が周方向の全体に亘って均一に吊設されるようになり、上記保護枠４側第１、第２のワークコイルＣ１、Ｃ２と第１、第２の誘導発熱部Ｇ１、Ｇ２が適正な位置関係で、かつ適正な誘導ギャップを介して対向するようになるとともに、上記外釜６との間に適切な所定の隙間（蓄熱・対流空間）Ｓを保った状態で支持される。
【００３１】
また、同時に、上記第３のワークコイルＣ３によって誘導発熱される外釜６の側部６ｃ内周面の第３の誘導発熱部Ｇ３と内釜３の側部６ｃ部分との対向位置および対応距離も適正な設計位置および設計距離に維持される。
【００３２】
一方、上記彎曲部外周側のセンタリング支持部材６２，６２・・は、そのように収納後に外釜６を介して内釜３を保護枠４内に適切な位置関係で支持するだけでなく、収納時において収納される内釜３の彎曲部３ｂの外周を正確な位置関係で収納されるように全周においてガイドし、適正にセンタリングする機能を果たすようになっている。
【００３３】
また、上記高台部支持部材６１，６１・・、センタリング支持部材６２，６２・・の外釜６の内方側への突出寸法は、上記のように内釜３が保護枠４内に適正な位置関係で収納セットされた図２、図３の状態において、内釜３の外周面と外釜６の内周面との間に適切な隙間Ｓを形成する寸法に設定されている。
【００３４】
これらの結果、上記図２、図３に示す内釜３の収納状態では、内釜３の底部３ａおよび彎曲部３ｂは、第１、第２の誘導発熱部Ｇ１、Ｇ２の発熱により加熱されて局部的に高温になり、やがて同高温の熱が同底部３ａおよび彎曲部３ｂ側から上方の側部３ｃ側に壁内部を通して徐々に伝導されてゆき、誘導発熱部が設けられていない側部３ｃ側の温度も次第に上昇する。
【００３５】
そして、以上の構成では、それに加えて、内釜３が収納される保護枠４の内側に同じくセラミック製の外釜６が設けられており、第１、第２の誘導発熱部Ｇ１、Ｇ２を有する内釜３の外周が該セラミック製の外釜６によって覆われることになり、内釜３の底部３ａ、彎曲部３ｂの誘導発熱部Ｇ１、Ｇ２および同誘導発熱部Ｇ１、Ｇ２付近から外方に放射される熱は同セラミック製の外釜６により遮断され、同内釜３底部３ａの誘導発熱部Ｇ１、彎曲部３ｂの誘導発熱部Ｇ２、およびそれら付近から外方に放射された放射熱が内釜３の外周を大きく包み込む形で内釜３自体を加熱し、同熱が上記外釜６と内釜３相互の対向面部およびそれらの間の隙間Ｓ部分に蓄熱されるとともに、同蓄熱状態において加温された高温の空気が対流により上記隙間Ｓを通して上記内釜３の底部３ａ、彎曲部３ｂの外周面側から側部３ｃの外周面側に上昇し、内釜３外周面の全体を加熱、加温するようになる。
【００３６】
これらの結果、上記内釜３は、その底部３ａ、彎曲部３ｂ側から側部３ｃの全体に亘って比較的速やかに高温になり、その熱量を有効に蓄える。したがって、第１、第２の誘導発熱部Ｇ１、Ｇ２における発熱量を有効に利用することができるようになる。
【００３７】
さらに、この実施の形態の構成の場合、その場合において、上記外釜６の側部内周面に第３の誘導発熱部Ｇ３が設けられているとともに、該第３の誘導発熱部Ｇ３に対応する上記保護枠４の側壁部外周に該第３の誘導発熱部Ｇ３を誘導発熱させる電磁誘導手段である第３のワークコイルＣ３が設けられており、上記外釜６の側部６ｃ自体を、その内周面側から加熱するようになっている。
【００３８】
したがって、上記セラミック製の外釜６は、単に上記内釜３の底部３ａ側外周を覆って熱を逃がさないようにするだけでなく、それ自体が加熱されて高温になり、同高温状態の外釜６からの放射熱が僅かな隙間Ｓを置いた至近距離で内側の内釜３を積極的に加熱するようになり、内釜３は底部側だけでなく、従来加熱不足であった側部３ｃを含む全体が効果的に加熱、昇温されるようになる。この場合、第３のワークコイルＣ３と第３の誘導発熱部Ｇ３の距離が近いことから、第３のワークコイルＣ３による第３の誘導発熱部の誘導効率も高く、ノイズも発生しにくい。
【００３９】
しかも、同内釜３の側部３ｃ部分の加熱は、例えば内釜３の側部３ｃ部分に直接誘導発熱部を設けて加熱する場合と異なり、至近距離ではあるが、外釜６側から所定の隙間（熱拡散空間）Ｓを介した間接加熱となり、また外釜６の側部６ｃ全体からの放射熱によって内釜３が加熱されるので、加熱状態が均一となり、内釜３の側部３ｃ等に直接誘導発熱部を設けて加熱する場合のような局部加熱による焦げ付きを発生させる恐れもなくなる。
【００４０】
しかも、この実施の形態の場合、上記外釜６の側部６ｃは内釜３の側部３ｃの上部付近まで高く延設され、該高く延設された側部６ｃの内周面に位置して第３の誘導発熱部Ｇ３が設けられ、該第３の誘導発熱部Ｇ３に対応する保護枠４の側壁部外周に該第３の誘導発熱部Ｇ３を誘導発熱させる第３のワークコイルＣ３が設けられている。
【００４１】
したがって、セラミック製の外釜６は、その内釜３の側部３ｃ上部に対応する位置まで延設された側部６ｃの内周面が効率良く加熱されて高温になり、同高温部が従来加熱不足であった内釜３の側部３ｃ上部部分をも効果的に加熱するようになり、内釜３はその側部３ｃおよびその上部部分を含む全体が効果的に加熱、昇温されるようになり、内釜３内のご飯上部の空間部が竈の場合と同様の高温状態に維持されるようになる。
【００４２】
この場合、上記第３の誘導発熱部Ｇ３が設けられる上記外釜６の側部６ｃが延設される内釜３の側部３ｃの上部位置は、たとえば当該電気炊飯器の定格炊飯容量から決まる炊き上げ完了後のご飯の上部位置付近（吸水時における水の位置よりも上方位置）に対応するものとされる。そのようにした場合、当該電気炊飯器の定格炊飯容量から決まる炊き上げ完了後のご飯およびその上部空間位置に、竈の場合と同様の適切で十分な量の熱を適切に作用させることが可能となり、焦げ付きを生じさせることなく、炊きむらをなくして、より美味しいご飯を炊き上げることが可能となる。
【００４３】
＜保護枠のフローティング支持構造について＞
上記のように、この実施の形態における保護枠４は、第１、第２の保護枠ユニット４Ａ、４Ｂを上下に一体化して構成されているが、上記第１の保護枠ユニット４ａは、例えばコイルスプリングを備えたフローティング支持機構を介して、上述の底ケース１ｂ上にフローティング支持されており、所定の上下寸法範囲で昇降可能となっている。
【００４４】
他方、上記第２の保護枠ユニット４Ｂも、同第１の保護枠ユニット４Ａの上部に載った図２、図３の状態で同様に昇降する。これらの結果、上記第１、第２の保護枠ユニット４Ａ、４Ｂよりなる有底筒状の保護枠４内に収納設置された椀形状の外釜６も上記第１、第２の保護枠ユニット４Ａ、４Ｂとともに同様に昇降する（図３中の矢印参照）。
【００４５】
したがって、該外釜６の上に高台部支持部材６１，６１・・、センタリング支持部材６２，６２・・を介して水および米の入った内釜３が収納されると、同内釜３の重量に応じて、上記保護枠４および外釜６が内釜３とともに所定寸法下降し、内釜3の開口部３ｄ外端のフランジ部Ｆの下面が、内釜収納溝5の開口部５ａを形成している肩部材８の内周縁部８２上の耐熱支持部材部分に当接し、同部分に吊設された状態で支持される。
【００４６】
この結果、この実施の形態の場合、底部側に第１、第２の誘導発熱部Ｇ１、Ｇ２を備えた上記内釜３は、第１、第２のワークコイルＣ1、Ｃ２を備えた第１の保護枠ユニット４Ａの第１、第２のワークコイルＣ1、Ｃ２、第３のワークコイルＣ３を備えた第２の保護枠ユニット４Ｂの第３のワークコイルＣ３、第３の誘導発熱部Ｇ３を備えた外釜６の第３の誘導発熱部Ｇ３に対して、それぞれ適切な位置、および寸法関係でセットされることになる。
【００４７】
この時、上記高台部支持部材６１，６１・・やセンタリング支持部材６２，６２・・が外釜６と内釜３との間の適正な隙間Ｓを設定すること、またセンタリング支持部材６２，６２・・が収納時の内釜３のセンタリング機能を果たすことなどは、すでに述べたとおりである。
【００４８】
＜昇降用隙間のシール構造について＞
ところで、上記のように保護枠４および外釜6を炊飯器本体に対してフローティング構造とし、肩部材８と外釜６の側部６ｃの上端６ｄとの間に昇降空間Ｄを形成すると、同昇降空間Ｄから内釜３と外釜６との間の熱が外部に逃げるし、また内釜３の外周についた水などが侵入する恐れもあり、さらには内釜収納溝５の見栄えが悪くなる等の問題がある。
【００４９】
そこで、この実施の形態では、同昇降空間Ｄ上部側の、上述した肩部材８に対する肩ヒータ枠３１、肩ヒータカバー３０連結補強用の金属プレート３２、３２の内周縁側に、それらを組み付けた後において、たとえば図３に示すように、下方側外釜６の側部６ｃ上端６ｄの内周面側（開口部内周面側）に所定寸法延設されて、当該肩部材８と外釜６の側部６ｃ上端６ｄとの間の昇降空間Ｄを周方向の全体に亘って内外方向にシールするスカート状の摺動パッキン３５が取り付けられており、保護枠４および外釜６の上方側に、肩部材８、肩ヒータ枠３１、肩ヒータカバー３１、摺動パッキン３５、金属プレート３２、３２が相互に重合されて連結一体化された時に、同摺動パッキン３５のスカート部（シール用の縁部）３５ｂが外釜６の側部６ｃの上端６ｄの内周面に摺動可能に内接するようにしている。
【００５０】
このパッキン３５は、上記スカート部３５ｂの上部側に金属プレート３２、３２と肩ヒータカバー３０との間に挟まれて固定される固定部３５ａが設けられており、この固定部３５ａを利用して図３のように取り付けられている。
【００５１】
＜肩部における肩ヒータの設置について＞
以上のように、この実施の形態の炊飯器本体における内釜収納溝５の開口部５ａは、本体外ケース１ａの上端部１ｃの内周縁側に嵌合固定される肩部材８と、この肩部材8の内周部内側に、下方側から金属プレート３２、３２、パッキン３５を介して連結固定される肩ヒータカバー３０および肩ヒータ枠３１とからなっているが、そのうちの肩ヒータ枠３１は、半径方向外側に開放した断面コの字形の構造をしており、その外周面には例えばコードヒータよりなる肩ヒータＨ１が全周に亘って設けられている。そして、同肩ヒータＨ１が発熱すると、たとえば図３に示すように、内釜収納溝５内への収納状態において隣接対応する内釜３の開口部３ｄにおける半径方向内方に厚肉のヒートキープ部ＨＫの下部部分を効率良く加熱し、同部分における露の発生を防止して、ご飯の白ボケ等の発生を防止する。
【００５２】
＜コイル台の構成について＞
他方、上記のように構成された保護枠４の下方側（第１の保護枠ユニット４Ａの下方側）には、同保護枠４の底部を支持する合成樹脂製の皿状のコイル台９が設けられている。このコイル台９には、たとえば図５に示されるように、その周方向４方の上面側に位置して、上記第1の保護枠ユニット４Ａ外周面側の第１、第２のワークコイルＣ１、Ｃ２に対応して半径方向に延びるフェライトコア収納溝９ａ，９ａ・・が設けられ、このフェライトコア収納溝９ａ，９ａ・・内に同第1の保護枠ユニット４Ａ側の第1、第2のワークコイルＣ１、Ｃ２用の4本のフェライトコア７０，７０・・が収納されている。そして、同フェライトコア７０，７０・・を収納したフェライトコア収納溝９ａ，９ａ・・の上面によって、第１，第２のワークコイルＣ１，Ｃ２が４方で支持されている。そして、その上で、上記第１の保護枠ユニット４Ａとコイル台９は、外周側の連結部を利用して相互に連結固定される。
【００５３】
また、このコイル台９の下部外周側には、上記フェライトコア収納溝９ａ，９ａ・・位置に対応して、4本の脚部９ｂ，９ｂ・・が下方に向けて設けられており、同脚部９ｂ，９ｂ・・部分が上記底ケース１ｂ上に設けられているフローティング支持機構６３、６３・・により支持されるようになっている。また、同コイル台９の中央部には、上記第1の保護枠ユニット４Ａ側のセンタセンサ嵌装穴１０ａと同心状に貫通したセンタ−センサ本体嵌装口９ｃが設けられており、該センタ−センサ本体嵌装口９ｃを介して上下方向に昇降自在な状態で、かつ常時コイルスプリングにより上方に上昇付勢された状態でサーミスタ等の内鍋温度検知センサよりなるセンタセンサＣＳが下方から上方に向けて嵌装設置されている。
【００５４】
＜蓋体の構成について＞
一方、上記炊飯器本体の内釜収納溝５の開口部５ａを覆う蓋体２は、たとえば図１、図２、図４に示すように、その上部側外周面を構成する銘板２０と、上面側前部に銘板２０の支持面部およびマイコン基板等設置用凹部２１ａを有し、周壁部２１ｂを含めて蓋体２の中心的な筐体部を構成している合成樹脂製の上板２１と、該上板２１の内側（下側）に設けられた同じく合成樹脂製の下板２２と、該下板２２の本体部２２ａの中央部外周側下面の凹部２２ｂ部分にゴム製の第１のパッキン２５を介して下方側から嵌合固定されている蓋ヒータＨ２（図６を参照／図２では図示を省略）を有する金属製の放熱板２３と、該放熱板２３の下方に設けられ、その外周縁部分に合成樹脂製の着脱可能な枠部材２７を介してゴム製の第２のパッキン１４が取り付けられた金属製の内カバー２４とから形成されている。
【００５５】
内カバー２４の外周側パッキン１４部分は、上記のように、下板２２の中央部外周側に設けられた内カバー嵌合用凹部２２ｂ部分に下方側から着脱可能に嵌合して取り付けられている。また、下板２２の外周側縁部２２ｃ部分は、上記上板２１の所定上下幅の周壁２１ｃ部分の下端側内周面部分に係合されている。
【００５６】
ところで、耐圧力強度を高めるために、上記中心となる下板２２の本体部分２２ａの後端部外周側部分を連結片、ネジ等を介してヒンジユニット１１側の連結片に係止しているとともに、同下板２２の本体部２２ａの上面には、所定の板厚、所定の構造の金属製の補強板および多数の補強リブを左右および前後に亘って設けることにより、当該蓋体２の全体を高強度の構造体に形成するようにしている。
【００５７】
すなわち、上記下板２２は、その本体部２２ａ後端側外周の中間部分が上方に向けてコ字状に曲成され、内側に前述したヒンジユニット１１を収納しているとともに、その外周端側下降部は同ヒンジユニット１１をカバーしている。
【００５８】
そして、これら下板２２の本体部２２ａの後端側外周を取り付け用のブラケットとして、上記蓋体２は、その後端側を、上記炊飯器本体上部の肩部材８に対してヒンジユニット１１を介して回動自在に取付けられ、その開放端側（前端側）には、上記蓋体２の所定位置に係合して該蓋体２の上下方向への開閉を行うロックおよびロック解除機構１３が設けられている。
【００５９】
さらに、上記上板２１の上記銘板支持面部を形成している上面部外周２１ｂは、上部から下方側に次第に外径を拡大した彎曲面となっており、その下端側は、上述した周壁部２１ｃの上端側に、銘板嵌合溝（Ｕ状溝）を介して連結一体化されている。そして、図１のような操作パネル６０面および液晶パネル６０Ａに対応した透明窓６０ｃを形成している銘板２０は、それら上板２１各部の支持面形状に対応した形状に成形されており、上記上板２１外周の銘板嵌合溝を利用して略面一状態に冠合一体化されている。そして、同銘板２０の上面には、さらに防水用の合成樹脂製の透明シート８０が貼設されている。
【００６０】
＜蓋体部分における圧力調節機構の構成について＞
この実施の形態の電気炊飯器は、一例として圧力型の電気炊飯器として構成されており、上記蓋体２の略中央部には、お粘成分を回収しながら蒸気のみを外部に逃がすとともに炊飯工程に応じて上記内釜３内の圧力を、大気圧である常圧（１.００気圧）、常圧よりも少し高い中圧（１.０５気圧）、中圧よりも高い高圧（１.２５気圧）の３段階に調節する調圧ユニット２６が設けられている。
【００６１】
この調圧ユニット２６は、たとえば上記内釜３内から外部に向けて迂回する蒸気逃し通路と、該蒸気逃し通路に設けられ、該蒸気逃がし通路を開閉する球体弁と、該球体弁による蒸気逃がし通路の開閉状態を切り替える電磁プランジャとからなる圧力調整機構（圧力調節スイッチ）１と圧力調整機構２の２組の圧力調整機構を備えて構成されている。そして、これら圧力調整機構１、圧力調整機構２のうち、圧力調整機構１，２が共にONの場合が高圧、圧力調整機構１がONで、圧力調整機構２がOFFの場合が中圧、圧力調整機構１，２が共にOFFの場合が常圧に制御される。
【００６２】
それら各圧力調整機構１，２の球体弁作動用の電磁プランジャは、後述するように、炊飯工程に応じてホストマイコンであるマイコン制御ユニットMUにより制御される（図６の制御回路ブロックを参照）。
【００６３】
＜蓋体上面の操作パネルおよび表示パネル部分の構成について＞
図１中の符号６０が操作パネルを示しており、この操作パネル６０は、そのパネル部（銘板部）裏側に所定の深さの基板および液晶パネル収納ボックスを備えてなり、上記炊飯および保温制御手段としてのマイコン制御ユニット（ホストマイコン）MUを備えたマイコン基板６０Ｂおよび液晶パネル６０Ａが上記上板２１の開口部および中板２０の凹溝部内に嵌合して収納されている。
【００６４】
そして、その中央部には液晶パネル６０Ａの表示面に対応する透明窓６０Ｃを有するとともに、同透明窓６０Ｃの周囲に、タイマー炊飯用の炊飯予約スイッチＳＷ１、炊飯スイッチＳＷ２、保温スイッチＳＷ８、取消スイッチＳＷ３、炊飯メニュー（例えば白米を炊飯する白米炊飯コース、玄米を炊飯する玄米炊飯コース、白米に所定量の麦を混ぜた白米および麦を炊飯する白米・麦炊飯コース、その他のコースメニュー）を選択するメニュースイッチＳＷ５（もどる），ＳＷ６（すすむ）、火かげん選択スイッチＳＷ４、音声ガイドＳＷ７、時計及びタイマーの時刻時・分設定スイッチＳＷ９などの静電電極スイッチよりなる各種操作キースイッチＳＷや同各種操作スイッチキーＳＷを操作するユーザーが居るか居ないかを光学的に検知する人感センサＭＳ、上記各種操作キースイッチＳＷの何れかがＯＮ操作（タッチ操作）されたことを検出して出力を発生するタッチマイコンＭＴ、当該蓋体２の開閉状態、より詳しくは当該蓋体２が所定の開度以上開かれたことを検出して出力を発生する傾斜センサＩＳ、上記内鍋３内の温度を検知する蓋センサＨＳなどが設けられている。
【００６５】
上記人感センサＭＳの検知信号、タッチマイコンＭＴの出力、傾斜センサＭＳの検出信号、蓋センサＨＳの検出信号は、後述の図６に示すように、同じく蓋体２内に設けられている上記ホストマイコンであるマイコン制御ユニットＭＵに入力される。
【００６６】
＜第１、第２のワークコイルＣ１，Ｃ２、第３のワークコイルＣ３、肩ヒータＨ１、蓋ヒータＨ２等制御回路の構成について＞
次に図６は、上記内釜３の底部側を加熱する第１、第２のワークコイルＣ１，Ｃ２、上記内釜３の側部３ｃ側を外釜６および蓄熱空間を介して間接的に加熱する第３のワークコイルＣ３、内釜３の開口部周縁（ヒートキープ部ＨＫ）を加熱する肩ヒータＨ１、蓋体２内側の放熱板２３を加熱する蓋ヒータＨ２、調圧ユニット２６の圧力調整機構１，２の電磁プランジャ、その他の駆動状態（ＯＮ、ＯＦＦ）、駆動出力（デューティー比）を制御する制御回路の構成を示している。
【００６７】
この制御回路は、上述したホストマイコンとしてのマイコン制御ユニットＭＵを中心として構成されており、該マイコン制御ユニットＭＵは、吸水〜蒸らしの各工程において、前述した内釜３の底部３ａの温度を検出するセンタセンサＣＳの検出温度Ｔ２、内釜３内上方部の温度を検出する蓋センサＨＳの検出温度Ｔ１、室温を検出する室温センサ（図示省略）の検出温度などを入力して、上記内釜３の底部側を加熱する第１、第２のワークコイルＣ１，Ｃ２、上記内釜３の側部３ｃ側を加熱する第３のワークコイルＣ３、内釜３の開口部周縁（ヒートキープ部ＨＫ）を加熱する肩ヒータＨ１、蓋体２内側の放熱板２３を加熱する蓋ヒータＨ２等の駆動状態（ＯＮ、ＯＦＦ）および駆動出力（デューティー比）、炊飯工程に対応した調圧ユニット２６の圧力調整機構１，２の電磁プランジャ等の駆動状態（ＯＮ、ＯＦＦ）を制御するようになっている。また、上記マイコン制御ユニットＭＵは、同様にして、保温工程における保温状態の加熱制御も行う。
【００６８】
＜蓋体の開閉状態に応じた操作キー入力の入力パターンの切り替えシステムについて＞
ところで、この実施の形態の電気炊飯器では、上記のごとく従来の電気炊飯器の場合と同様に蓋体２の開閉状態を検出する傾斜センサＩＳが設けられており、蓋体２が閉状態（水平状態）から所定の開度（例えば４５度程度）以上大きく開かれた（傾斜した）ことを検出して、蓋体２が開放されたことを示す信号を出力するようになっている。
【００６９】
従来の電気炊飯器の場合、たとえば図１４のフローチャートのステップＳ１〜Ｓ２、Ｓ１〜Ｓ３に示すように、マイコン制御ユニットＭＵは、当該傾斜センサＩＳの出力信号を基に、蓋体２の開状態又は閉状態を判定し、蓋体２が閉じられているときには上記各種操作スイッチキーＳＷ１〜ＳＷ９の各々の操作を無効にする操作禁止フラグをクリアして、上記各種操作スイッチキーＳＷ１〜ＳＷ９の各々の操作を有効にする一方、蓋体２が開かれているときには上記各種操作スイッチキーＳＷ１〜ＳＷ９の各々の操作を無効にする操作禁止フラグをセットして、上記各種操作スイッチキーＳＷ１〜ＳＷ９の各々の操作を無効にする。
【００７０】
そして、その上で、図１５のフローチャートのステップＳ１〜Ｓ２に示されるように、同操作禁止フラグのセット状態如何に基づいて、実際に操作された上記各種操作スイッチキーＳＷ１〜ＳＷ９の操作に対応した遷移処理を行う。
【００７１】
すなわち、上記操作禁止フラグがクリアされている状態では、上述の各種操作スイッチキーＳＷ１〜ＳＷ９がＯＮ操作されたとすると、当該操作スイッチキーが、待機状態において有効なキーか、炊飯中において有効なキーか、保温状態において有効なキーか、タイマー予約時において有効なキーか、タイマー予約設定操作時において有効なキーか、時計設定時において有効なキーか、製品テスト時において有効なキーか等の判断を行った上で、当該操作スイッチキーの指令内容に応じた制御機能のシフトを行う。それにより、必要な制御内容の操作設定が可能となる。
【００７２】
他方、上記各種操作スイッチキーＳＷ１〜ＳＷ９の操作を無効にする上記操作禁止フラグがセットされている状態では、たとえ上記各種操作スイッチキーＳＷ1〜ＳＷ9の何れがＯＮ操作されたとしても全てのキー操作を無効として、そのような遷移処理を行わない。その結果、上記各種操作スイッチキーＳＷ1〜ＳＷ9をタッチセンサ構造の静電電極スイッチ等の操作の容易なスイッチによって構成した場合にも、蓋体開閉時の不要なタッチ操作等で誤動作を招くことなく、正確な操作設定機能を実現することができる。
【００７３】
しかし、このような構成の場合、例えば保温状態において蓋を開け、内鍋内のご飯をよそってしまった後に保温を取り消そうとしても、そのままでは取り消すことができず、一旦蓋を閉めて操作スイッチキーを有効な操作状態にしてからでないと、取り消すことができない。これでは、非常に使い勝手が悪い。だからと言って、蓋の開閉状態如何に関係なく、キー操作を有効にすると、上述のような蓋開閉時の誤操作の問題を招く。
【００７４】
そこで、この発明の実施形態では、このような問題を解決するために、先ず基本的に上記蓋体２の開閉状態如何に関係なく、上記各種操作スイッチキーＳＷ1〜ＳＷ9の操作が可能となるようにしている（上記各種操作スイッチキーＳＷ1〜ＳＷ9の操作を無効にする操作禁止フラグをセットしない）。
【００７５】
ただし、蓋体２の開閉検知手段である上記傾斜センサＩＳが上記蓋体２の開状態を検知しているときと閉状態を検知しているときとでは、操作スイッチキーＳＷ1〜ＳＷ9の操作による入力の方法（入力操作形態）が異なるようにしている。
【００７６】
このように、蓋体２の開状態又は閉状態に如何にかかわらず操作スイッチキーＳＷ1〜ＳＷ9による入力を可能にすると、上述のような蓋開状態での保温取り消しが可能になり、使い勝手が向上する。
【００７７】
しかし、単に操作入力を可能にしたのでは、従来のものと同様に蓋開閉時の誤操作が生じる。
【００７８】
そこで、操作キースイッチＳＷ1〜ＳＷ9の操作による入力は可能であるが、開状態を検知しているときと、閉状態を検知しているときとでは、その入力の方法（入力するための操作形態）が異なるようにして、使い勝手を向上させながら、誤操作をも回避するようにしている。
【００７９】
そして、そのような異なる入力方法を実現するために、蓋体２が閉じられている状態と開かれている状態との２つの状態に応じて、それぞれ操作スイッチキーＳＷ1〜ＳＷ9入力の入力パターン（操作形態）を切り替える切り替えシステムが採用されている。
【００８０】
その具体的な構成として、同マイコン制御ユニットＭＵは、たとえばタイマー機能を備え、上記蓋開閉検知手段である傾斜センサＩＳが蓋の開状態を検知しているときには、上記操作スイッチキーＳＷ1〜ＳＷ9の入力に応じた出力を発生する上記タッチマイコンＭＴから所定の時間内に複数回の出力があったことを条件として操作スイッチキーＳＷ1〜ＳＷ9による操作設定内容を確定するようになっている。
【００８１】
＜傾斜センサ出力の読み込みと読み込み結果の設定＞
先ず、図７のフローチャートは、この発明の実施の形態における上記マイコン制御ユニットＭＵによる上記傾斜センサＩＳの出力値の読み込み動作と読み込み結果の設定方法を示している。
【００８２】
すなわち、この制御では、上記炊飯器本体の電源回路にＡＣ電源が接続されていることを前提として、先ずステップＳ1で上記傾斜センサＩＳの出力ポートからの出力状態を読み込む。
【００８３】
この実施の形態の場合、上記傾斜センサＩＳは、例えば図１３のタイムチャートの（ａ）蓋体２の開閉状態、（ｂ）傾斜センサＩＳの出力状態に示すように、蓋体２が閉じられている時にはＬ出力（０ｖ）、蓋体２が開かれている時（傾斜度が４０度以上）にはＨ出力（５ｖ）を示すようになっている。
【００８４】
そこで、次にステップＳ２で、同傾斜センサＩＳの出力が上記蓋体２の閉状態（傾斜度が４０度未満）を示すＬ出力状態であったか、それとも上記蓋体２の開状態（傾斜度が４０度以上）を示すＨ出力状態であったかを判定する。
【００８５】
その結果、Ｌ出力（蓋体閉）と判定されたときは、ステップＳ３に進んで、今回（現在）の傾斜センサＩＳの出力値はＬと設定する一方、そうではなくてＨ出力（蓋体開）と判定されたときは、ステップＳ３に進んで、今回（現在）の傾斜センサＩＳの出力値はＨと設定する。
【００８６】
そして、この設定値Ｌ、Ｈが、次の図８のフローチャートの蓋体の開閉検知とそれに対応した操作キー入力機能の設定に使用される。
【００８７】
＜蓋体の開閉検知とそれに対応した操作キー入力機能の設定＞
次に、図８のフローチャートは、上記傾斜センサＩＳの今回の出力値に基づく蓋体２の開閉検知とそれに対応した操作キー入力機能の設定制御の内容を示している。この制御は、上記図７の制御に続いて実行される。
【００８８】
そして、同制御を開始すると、まずステップＳ１で上記図７のフローチャートのステップＳ３で設定された傾斜センサＩＳの今回の出力値（Ｌ又はＨ）を読み込む。そして、その上でステップＳ２に進み、同傾斜センサＩＳの今回の出力値が当該蓋体２の閉状態を示す出力値Ｌであるか否かを判定する。
【００８９】
その結果、ＹＥＳと判定されると、次にステップＳ３に進んで、蓋体２の開閉状態を示す蓋開閉フラグを蓋閉にセットする。他方、ＮＯと判定されると、次にステップＳ５に進んで、蓋体２の開閉状態を示す蓋開閉閉フラグを蓋開にセットする。
【００９０】
この実施の形態の場合、たとえば図１２のタイムチャートの（ａ）および図１３のタイムチャート（ｃ）の前半部分に示すように、上記操作スイッチキーＳＷ１〜ＳＷ９の操作機能（入力可能なＯＮ機能）を１回のタッチ操作で有効にするシングルタッチ操作機能（第１の操作形態）と、図１２のタイムチャートの（ｂ）、（ｃ）および図１３のタイムチャート（ｃ）の後半部分に示すように、２回のタッチ操作で有効にするダブルタッチ操作機能（第２の操作形態）の２つの操作機能形態に切り替えられるように構成されており、それを上記蓋体２の開閉状態に応じて切り替えるようにしている。
【００９１】
そこで、本制御では、上記のようにステップＳ３で蓋体２の開閉状態を示す蓋開閉フラグが蓋閉にセットされると、それに対応してステップＳ４に進み、上記操作スイッチキーＳＷ１〜ＳＷ９の操作機能を１回のタッチ操作で有効に行うシングルタッチ操作機能（第１の操作形態）に設定する一方、ステップＳ５で蓋体２の開閉状態を示す蓋開閉閉フラグが蓋開にセットされると、それに対応してステップＳ６に進み、上記操作スイッチキーＳＷ１〜ＳＷ９の操作機能を２回のタッチ操作で有効に行うダブルタッチ操作機能（第２の操作形態）に設定する。
【００９２】
これにより、蓋体２が閉じられている状態と開かれている状態との２つの状態に応じて、それぞれ操作スイッチキーＳＷ１〜ＳＷ９の入力パターンをシングルタッチ方式とダブルタッチ方式の２つの異なるパターン（入力方法、入力形態）に切り替えることができる。
【００９３】
＜各種操作スイッチキーのタッチ操作判定とタッチ操作された操作キーに対応したキーコードの設定＞
次に、図９のフローチャートは、上述した各種操作スイッチキーＳＷ１〜ＳＷ９のタッチ操作判定とタッチ操作された操作キーに対応したキーコードの設定方法を示している。
【００９４】
この制御では、先ずステップＳ１で、マイコン制御ユニットＭＵが上述した各種操作スイッチキーＳＷ１〜ＳＷ９の出力ポートの出力状態を読み込む。具体的には、上述したタッチマイコンＭＴを介して読み込む。
【００９５】
そして、続くステップＳ２で、それら各種操作スイッチキーＳＷ１〜ＳＷ９の何れかがタッチ操作されて出力状態にあるか否かを判定する。
【００９６】
その結果、ＹＥＳと判定された場合（いずれかの操作スイッチキーがタッチ操作されて、当該操作スイッチキーの出力ポートからタッチ操作されたことを示す出力がある場合）には、次にステップＳ３に進んで、当該操作スイッチキーの入力状態を示すキー入力値を今回タッチ操作された操作スイッチキー（ＳＷ１〜ＳＷ９の内の何れか）による入力値に設定する。
【００９７】
すなわち、いずれかの操作スイッチキーがタッチ操作された時に、マイコン制御ユニットＭＵは、たとえば図１２のタイムチャートの（ａ）〜（ｃ）に示すようなタッチマイコンＭＴからのキー出力の変化を検出し、その立ち上がりエッジで、上述したシングルタッチ、ダブルタッチを判断する基準時間ｔ（ｔ＝１０００ｍｓ）を設定しているキー入力カウンタのカウンタ値をクリアし、新たに今回の入力値をセットする。
【００９８】
そして、その上でステップＳ４に進んで、さらに継続して操作スイッチキーＳＷ１〜ＳＷ９の内の別の操作スイッチキーが押し下げられるのを待っているキー操作待機状態であるか否かを判定する。
【００９９】
他方、上記ステップＳ２の各種操作スイッチキーＳＷ１〜ＳＷ９の何れかがタッチ操作されて出力状態にあるか否かの判定でＮＯと判定された場合（いずれの操作スイッチキーもタッチ操作されず、何れの操作スイッチキーの出力ポートからもタッチ操作されたことを示す出力がない場合）には、上記ステップＳ３のキー入力のクリアを行うことなく、前回のキー入力値を保持したままの状態でステップＳ４に進んで、上記各種操作スイッチキーＳＷ１〜ＳＷ９の別のキーが押し下げられるのを待っているキー操作待機状態であるか否かの判定動作に進む。
【０１００】
次に、同ステップＳ４の連続キー操作待ちの判定で、ＹＥＳと判定された連続キー操作中の場合には、続いてステップＳ５でキー操作状態は「押し下げ中」と設定処理した上で、ステップＳ６に進み、最終的に操作された操作スイッチキーが何れのキーであるかを示すキーコード（タッチ操作された操作キーを特定するための操作キー毎に定められているコード）を今回押し下げ操作（タッチ操作）された操作スイッチキー（今回キー）のキーコードに設定する。
【０１０１】
他方、ステップＳ４のキー操作待機状態の判定で、ＮＯと判定されたキー操作がない場合には、ステップＳ７に進み、押し下げ操作（タッチ操作）された操作スイッチキーはないとして、キーコードを押し下げ操作（タッチ操作）された操作スイッチキーがないことを示すＮＯ−ＫＥＹに設定する。
【０１０２】
このように、処理することにより、いずれかの操作スイッチキーがタッチ操作された後に、続けて異なる操作スイッチキーがタッチ操作されるようなことがあっても、それらの操作は誤操作であると判定して、再度新たな操作スイッチキーの適正なタッチ操作を待って、同適正なタッチ操作による入力で以後の適正な制御を行なうことができるようになる。
【０１０３】
＜操作スイッチキーのタッチ操作に対応したキー入力と同キー入力に対応した制御状態の遷移について＞
次に、相互に連続する図１０および図１１のフローチャートは、上記操作スイッチキーの操作に対応したマイコン制御ユニットＭＵの制御状態の遷移について示すフローチャートである。
【０１０４】
すなわち、上述した図6のマイコン制御ユニットＭＵはバックアップ電源を備えており、それに基づいて、当該電気炊飯器本体の電源回路が電源コンセント（ＡＣ電源）に接続されていない場合にも基本的な制御判定を行うことができる。
【０１０５】
そこで、先ずステップＳ１で、当該電気炊飯器本体の電源回路に電源コンセントが接続されており、上述した各種操作スイッチキーＳＷ１〜ＳＷ９のタッチ操作による入力が可能な通電状態であるか否かを判定する。この判定の結果、ＮＯの通電状態でない場合には、当該周期の制御処理を終えてリターンし、再度次の周期で同様の通電判定を行う。
【０１０６】
他方、炊飯器本体の電源回路に電源コンセントが接続されており、通電状態である（ＹＥＳ）と判定されると、次にステップＳ２に進んで、上記図１２のタイムチャートに示す蓋開時のダブルタッチ入力の判定に必要なタイマー設定時間ｔ（ｔ＝１０００ｍｓ）の経過を判定するキー入力カウンタのカウント動作を開始する。
【０１０７】
次に、ステップＳ３に進み、当該キー入力カウンタのカウント値が上記ダブルタッチ入力の判定基準となる設定時間ｔ（１０００ｍｓ）に達したか否か、すなわち上記設定時間ｔの経過を判定する。その判定の結果、ＹＥＳ（ｔ＝１０００ｍｓ経過）の場合には、ステップＳ４に進んで、改めて同タイマーの設定時間ｔをｔ＝１０００ｍｓに設定するとともに、今回が最初の制御であるから続くステップS５で前回キーコードをＮＯ−ＫＥＹ（キー操作なし）に設定する。
【０１０８】
その後、さらにステップＳ６に進み、現在設定されているキーコードがキー操作されていないことを示すＮＯ−ＫＥＹであるか否かを判定する。
【０１０９】
他方、上記ステップＳ３のダブルタッチ入力判定のためのタイマー設定時間ｔ（ｔ＝１０００ｍｓ）が経過したか否かの判定でＮＯと判定されたダブルタッチ入力判定期間中（図1２の（ｂ）および（ｃ）参照）の場合には、当然ながら上記ステップＳ４、Ｓ５の処理を経ることなく、ステップＳ６に進んで、上記図9のフローチャートのステップＳ６、Ｓ７で設定された今回のキーコードがＮＯ−ＫＥＹでない（キーコード！＝ＮＯ−ＫＥＹ？）か否かを判定する。
【０１１０】
そして、同ステップＳ６での判定の結果、今回設定されたキーコードがＮＯ−ＫＥＹではないＹＥＳ（タッチ操作あり）の場合には、さらにステップＳ７に進んで、前回のキーコードがＮＯ−ＫＥＹであったか否かを判定する。これらステップＳ６、Ｓ７の判定により、今回はタッチ操作があったが前回はタッチ操作がなかった今回初めてのタッチ操作の場合であるか、今回はタッチ操作があり、前回もタッチ操作があった合計２回の操作スイッチキーのタッチ操作があった場合であるかをそれぞれ判定する。
【０１１１】
他方、上記ステップＳ６の判定で、今回のキーコードがＮＯ−ＫＥＹであったったＮＯ判定の場合には、上記ステップＳ７の前回のキーコードの判定を行うことなく、そのまま図１１のフローチャートのステップＳ１７以下の状態遷移判定動作に進む。
【０１１２】
一方、上記ステップＳ６でのＮＯ−ＫＥＹでないことの判定の結果、ＹＥＳ（ＮＯ−ＫＥＹでない）と判定される一方、ステップＳ７で前回のキーコードもＮＯ−ＫＥＹであった（ＹＥＳ）と判定された、今回はタッチ操作があったが前回はタッチ操作がなかった今回初めてのタッチ操作の場合である場合には、次にステップＳ8に進んで、上記キー入力カウンタのカウント値を0にクリアする。
【０１１３】
つまり、この場合は、上記操作スイッチキーのダブルタッチ操作を検出する上記タイマー時間ｔ（ｔ＝１０００ｍｓ）の期間内に少なくとも１回は操作スイッチキーのタッチ操作が行われたが、それは今回初めてのことであることを意味する。したがって、ダブルタッチの条件は成立しない。そこで、まずキー入力カンタのカウント値を０にクリアし、さらにステップＳ９で、前回キーコードに今回のキーコードを代入する（更新）。
【０１１４】
その上で、上記図８のフローチャートのステップＳ４、Ｓ６で設定された操作キーの操作入力機能設定状態を読み込み、さらにステップＳ１０で現在の操作スイッチキーの操作入力機能が、上記蓋体２の閉状態を前提とするシングルタッチによる操作入力機能設定状態であるか否かを判定する。
【０１１５】
その結果、ＹＥＳのシングルタッチ入力の場合には、タッチ操作判定がなされ、シングルタッチ操作による入力機能を前提として図１１のフローチャートのステップＳ１７以下の状態遷移判定動作に進む。
【０１１６】
他方、ステップＳ１０でＮＯと判定された、設定されている操作入力機能がダブルタッチ入力の場合には、ダブルタッチ条件が成立しないのでキー操作がなされたとは判定せず、ステップＳ１１で今回のキーコードをＮＯ−ＫＥＹ（タッチ操作なし）に設定したうえで、シングルタッチ操作でないダブルタッチ操作による入力機能を前提として、図１１のフローチャートのステップＳ１７以下の状態遷移判定動作に進む。
【０１１７】
他方、上記ステップＳ６の判定でＹＥＳで、ステップＳ７の判定でＮＯの場合、すなわち今回タッチ操作があり、前回もタッチ操作があったダブルタッチ条件が成立する場合には、先ずステップＳ１２に進んで、現在の操作スイッチキーの操作入力機能が蓋体２の閉状態を前提とするシングルタッチによる操作入力機能設定状態であるか否かを判定する。
【０１１８】
その結果、ＮＯの現在の操作入力機能がシングルタッチ機能でないダブルタッチ機能である場合には、次にステップＳ１３に進んで、現在のキーコードと前回のキーコードが同じであるか否か（操作対象キーが同じであるか否か）を判定し、同じであるＹＥＳの場合にはダブルタッチ条件が成立することから、さらにステップＳ１４で、前回キーコードに今回のキーコード（キーコード！＝ＮＯ−ＫＥＹ）を代入し、ダブルルタッチ操作による入力機能を前提として図１１のフローチャートのステップＳ１７以下の状態遷移判定動作に進む。
【０１１９】
他方、上記ステップＳ１２のシングルタッチ入力機能の判定でＹＥＳの設定されている操作入力機能が蓋体２の閉状態を前提とするシングルタッチ入力機能であった場合には、シングルタッチ条件は成立しないことから、次にステップＳ１５に進んで、今回のキーコードをＮＯ−ＫＥＹに設定したうえで、シングルタッチ操作による操作入力機能を前提として図１１のフローチャートのステップＳ１７以下の状態遷移判定動作に進む。
【０１２０】
また、上記ステップＳ１２のシングルタッチ入力機能の判定でＮＯの操作入力機能がシングルタッチ機能でないダブルタッチ機能の場合（蓋体開時）であって、上記ステップＳ１３における前回キーコードと今回キーコードが同じか否かの判定でＮＯであった、ダブルタッチ入力判定時間ｔ期間内に２回のキー操作があったが、それらが同一の操作キーではなく、前回の操作キーと今回の操作キーとが異なる場合には、ステップＳ１６で今回のキーコードをＮＯ−ＫＥＹ（キー操作なし）に設定したうえで、ダブルタッチ操作による操作入力機能を前提として図１１のフローチャートのステップＳ１７以下の状態遷移判定動作に進む。
【０１２１】
次に、図１１のフローチャートのステップＳ１７〜Ｓ４３は、上記各キーコードによって示される上記蓋体２の閉状態に対応した操作キーのシングルタッチによる操作入力機能、上記蓋体２の開状態（４０度以上）に対応した操作キーのダブルタッチによる操作入力機能に対応して、マイコン制御ユニットＭＵが行う各種制御状態の遷移制御動作を示している。
【０１２２】
ここで、制御状態の遷移は、たとえば図１３のタイムチャートの（ｄ）に示されるように、マイコン制御ユニットＭＵによる炊飯器本体の制御状態が「待機」、「炊飯」、「保温」〜とある場合において、図１３の（ｅ）に示されるように「待機」状態において炊飯スイッチキーがタッチ操作されると、「待機」状態から「炊飯」状態に移行し、また図１３の（ｆ）に示すように「炊飯」状態において取り消しスイッチキーがタッチ操作されると、「炊飯」状態から「待機」状態に移行し、また「保温」状態において取り消しスイッチキーがタッチ操作されると、「保温」状態から「待機」状態に移行し、さらに図１３の（ｇ）に示すように「待機」状態において保温スイッチキーがタッチ操作されると、「待機」状態から「保温」状態に移行することを意味している。
【０１２３】
そして、同図１３のタイムチャートの前半部分と後半部分とに分けて示してあるように、これら各状態からの遷移制御を行なうにあたって、前半側シングルタッチ入力機能による場合には、ワンタッチ操作に対応した1パルス出力で遷移させることができ、後半側ダブルタッチ入力機能による場合には、同一の操作スイッチキーのツータッチ操作に対応した所定時間内に２パルスの出力で遷移させることができるように構成して、蓋開閉時の誤操作を招かないようにしている。
【０１２４】
すなわち、以上のようにして、図１０のフローチャートのステップＳ１０、Ｓ１１、Ｓ１４、Ｓ１５、Ｓ１６の各々から図１１のフローチャートのステップＳ１７に進むと（図１０のロ〜図１１のロ）、まずステップＳ１７、ステップＳ２１、ステップＳ２５、ステップＳ２９、ステップＳ３３、ステップＳ３７で、現在の状態遷移が待機中であるか、炊飯中であるか、保温中であるか、タイマー予約中（設定後）であるか、タイマー予約設定中であるか、時計（時計機能）設定中であるか、を順次判定する。
【０１２５】
そして、その判定結果に従い、先ず状態遷移が待機中である場合（ステップＳ１７でＹＥＳの場合）には、先ずステップＳ１８で、その時に設定されている上記キーコードにより示される操作スイッチキーが当該待機時において有効な操作スイッチキーであるか否かを判定し、当該待機時において有効な操作スイッチキーである場合には、ステップＳ１９に進んで当該キー入力による設定処理を行った後に、さらにステップＳ２０でキー入力によらない必要な処理を行う。
【０１２６】
他方、上記キーコードにより示される操作スイッチキーが当該待機時において有効な操作スイッチキーでない場合には、キー入力によらない必要な処理のみを行う。
【０１２７】
次に、その状態遷移が炊飯中である場合（ステップＳ２１でＹＥＳの場合）には、先ずステップＳ２２で、その時に設定されている上記キーコードにより示される操作スイッチキーが当該炊飯時において有効な操作スイッチキーであるか否かを判定し、当該炊飯時において有効な操作スイッチキーである場合には、ステップＳ２３に進んで当該キー入力による設定処理を行った後に、さらにステップＳ２４でキー入力によらない必要な処理を行う。
【０１２８】
他方、上記キーコードにより示される操作スイッチキーが当該炊飯時において有効な操作スイッチキーでない場合には、キー入力によらない必要な処理のみを行う。
【０１２９】
次に、その状態遷移が保温中である場合（ステップＳ２５でＹＥＳの場合）には、先ずステップＳ２６で、その時に設定されている上記キーコードにより示される操作スイッチキーが当該保温時において有効な操作スイッチキーであるか否かを判定し、当該保温時において有効な操作スイッチキーである場合には、ステップＳ２７に進んで当該キー入力による保温設定処理を行った後に、さらにステップＳ２８でキー入力によらない必要な処理を行う。
【０１３０】
他方、上記キーコードにより示される操作スイッチキーが当該保温時において有効な操作スイッチキーでない場合には、キー入力によらない必要な処理のみを行う。
【０１３１】
次に、その状態遷移がタイマー予約中（設定後）である場合（ステップＳ２９でＹＥＳの場合）には、先ずステップＳ３０で、その時に設定されている上記キーコードにより示される操作スイッチキーが当該タイマー予約時において有効な操作スイッチキーであるか否かを判定し、当該タイマー予約時において有効な操作スイッチキーである場合には、ステップＳ３１に進んで当該キー入力による設定・変更等の処理を行った後に、さらにステップＳ３２でキー入力によらない必要な処理を行う。
【０１３２】
他方、上記キーコードにより示される操作スイッチキーが当該タイマー予約時において有効な操作スイッチキーでない場合には、キー入力によらない必要な処理のみを行う。
【０１３３】
次に、その状態遷移がタイマー予約設定中である場合（ステップＳ３３でＹＥＳの場合）には、先ずステップＳ３４で、その時に設定されている上記キーコードにより示される操作スイッチキーが当該タイマー予約設定時において有効な操作スイッチキーであるか否かを判定し、当該タイマー予約設定時において有効な操作スイッチキーである場合には、ステップＳ３５に進んで当該キー入力による予約設定処理を行った後に、さらにステップＳ３６でキー入力によらない必要な処理を行う。
【０１３４】
他方、上記キーコードにより示される操作スイッチキーが当該タイマー予約設定時において有効な操作スイッチキーでない場合には、キー入力によらない必要な処理のみを行う。
【０１３５】
次に、その状態遷移が時計機能設定中である場合（ステップＳ３７でＹＥＳの場合）には、先ずステップＳ３８で、その時に設定されている上記キーコードにより示される操作スイッチキーが当該時計機能設定時において有効な操作スイッチキーであるか否かを判定し、当該時計機能設定時において有効な操作スイッチキーである場合には、ステップＳ３９に進んで当該キー入力による設定処理を行った後に、さらにステップＳ４０でキー入力によらない必要な処理を行う。
【０１３６】
他方、上記キーコードにより示される操作スイッチキーが当該時計機能設定時において有効な操作スイッチキーでない場合には、キー入力によらない必要な処理のみを行う。
【０１３７】
最後に、その状態遷移が上記何れの場合でもない場合（最終的にステップＳ３７でＮＯの場合）には、例えばステップＳ４１に進んで、その時に設定されている上記キーコードにより示される操作スイッチキーが製造ラインにおける製品テスト時において有効な操作スイッチキーであるか否かを判定し、当該製品テスト時において有効な操作スイッチキーである場合には、ステップＳ４２に進んで当該キー入力によるテスト処理を行った後に、さらにステップＳ４３でキー入力によらない必要な処理を行う。
【０１３８】
他方、上記キーコードにより示される操作スイッチキーが当該製品テスト時において有効な操作スイッチキーでない場合には、キー入力によらない必要な処理のみを行う。
【０１３９】
この実施の形態の電気炊飯器の場合、これらの各状態遷移に応じて有効に使用される操作スイッチキーが、それぞれ上記蓋体２の開閉状態に応じて、蓋体２が閉じられているときにはシングルタッチ操作によって行われるが、蓋体２が開いているときにはダブルタッチ操作によってのみ可能とされる。
【０１４０】
したがって、蓋体２が閉じているとき、開いているときの何れの場合にも、自由に操作スイッチキーを操作して取り消し等の操作を行うことができる。そのため、非常に使い勝手が良くなる。他方、それでいながら、蓋体２の閉状態と開状態ではその入力可能な操作形態がシングルタッチと、ダブルタッチと相互に明確に異なることから、従来のように蓋体２を開閉操作しているときに、操作スイッチキーに指が触れて誤操作するということも無くなる。
【０１４１】
（変形例）
以上の実施の形態では、炊飯制御手段であるマイコン制御ユニットＭＵが所定時間ｔのタイマー機能を備え、蓋体２の開閉検知手段である傾斜センサＩＳが蓋体２の開状態を検知しているときには、操作入力手段である各種操作スイッチキーＳＷ１〜ＳＷ９（ＳＷ）から同所定の時間ｔ（ｔ＝１０００ｍｓ）内に複数回（2回）入力があったことを条件として制御内容を設定するようにし、それによって蓋体２が閉じているとき（1回）とは区別して、誤操作を生じさせないように構成した。
【０１４２】
すなわち、シングルタッチ操作入力（第１の操作形態）とダブルタッチ操作入力（第２の操作形態）との入力方法の相違による区別である。
【０１４３】
これはまた、同様のタイマー機能を利用し、蓋開閉検知手段である傾斜センサＩＳが蓋の開状態を検知しているときには、上記操作入力手段である各種操作スイッチキーＳＷ１〜ＳＷ９（ＳＷ）から所定の時間以上継続してＨレベルの出力が出されたことを条件として入力内容を確定するようにし、それによって蓋体２が閉じているときの短い時間のＨ出力と区別することにより、誤操作を生じさせないようにすることもできる。
【０１４４】
すなわち、より具体的には、蓋体２が閉じているときの蓋体２の操作スイッチキーの操作は、ワンタッチ操作による出力時間の短いもの（この場合の第１の操作形態）とするが、他方、蓋体２が開いているときには、蓋体２の操作キーのタッチ操作をワンタッチ操作ではなく、長押し操作によるもの（この場合の第２の操作形態）として出力時間も長くする。
【０１４５】
このようにすると、蓋体２を開閉しているときに指が操作スイッチキーに触れるようなことがあっても、ワンタッチでは入力されるようなことがなくなるので、やはり従来のような誤操作を避けることができる。また、蓋体２が開いている状態での操作入力も可能となる。
【０１４６】
さらに、炊飯器本体の炊飯機能は、何ら限定されるものではなく、調圧機能等のないものも本願発明の対象となることは言うまでもない。
【符号の説明】
【０１４７】
１は炊飯器本体ケース、２は蓋体、３は内釜、ＭＵはマイコン制御ユニット、ＳＷ１〜ＳＷ９（ＳＷ）は操作スイッチキー、ＩＳは傾斜センサ、ＭＴはタッチマイコン、ＨＳは蓋センサである。
【図１】
0006679879.tif 000002
【図２】
0006679879.tif 000003
【図３】
0006679879.tif 000004
【図４】
0006679879.tif 000005
【図５】
0006679879.tif 000006
【図６】
0006679879.tif 000007
【図７】
0006679879.tif 000008
【図８】
0006679879.tif 000009
【図９】
0006679879.tif 000010
【図１０】
0006679879.tif 000011
【図１１】
0006679879.tif 000012
【図１２】
0006679879.tif 000013
【図１３】
0006679879.tif 000014
【図１４】
0006679879.tif 000015
【図１５】
0006679879.tif 000016